(57)【要約】【課題】本発明は、紐、ナイロンピン、あるいはタグピン等の用具を必要とせずに、被服に容易に取り付けられ、固定することが可能な商品タグを得ることにある。【解決手段】商品タグ１０は、表面にこの商品タグ１０を取り付ける対象である被服の商品情報２を表示し、シート１の上下に第１の切り欠き部５及び第２の切り欠き部６を形成して構成される。【選択図】      図１
2004170735.tif 000002
【特許請求の範囲】
【請求項１】
ボタン付被服に取り付ける被服用商品タグであって、表面に前記被服の商品情報を表示するシートを備え、そのシートの対向する端縁に一対の切り欠き部を形成し、前記一対の切り欠き部が前記被服前面に取り付けられ互いに隣り合う２つのボタンに各々掛着されることを特徴とするボタン付被服用商品タグ。
【請求項２】
前記一対の切り欠き部は、前記被服前面に取り付けられ互いに隣り合う２つのボタンにほぼ適合しうる所定の距離をおいて形成されていることを特徴とする請求項１に記載のボタン付被服用商品タグ。
【請求項３】
前記一対の切り欠き部は、シートの端縁に向かって拡幅することを特徴とする請求項１あるいは２に記載のボタン付被服用商品タグ。
【請求項４】
前記一対の切り欠き部は、少なくともいずれか一つの谷部の先端が円弧状を形成することを特徴とする請求項１乃至３のいずれか一項に記載のボタン付被服用商品タグ。
【発明の詳細な説明】
【０００１】
【発明の属する技術分野】
本発明は、被服商品に、分離可能に取り付けられ、価格や名称、サイズ、原材料等の商品情報を表示する為の商品タグに関する。
【０００２】
【従来の技術】
一般的に、被服商品には、価格や名称、サイズ、材質、バーコード等、その被服に関する商品情報を表示する商品タグが、紐、ナイロンピン、あるいは「タグピン」と呼ばれる用具によって、商品タグの上方に形成する糸通し穴を挿通して、分離可能に取り付けられている。
商品タグの取り付けに紐を使用する場合、図６（ａ）に示すように、商品タグ３０は、一条の紐の一端をこの商品タグ３０の上方に形成する通し穴１２に挿通し、更に被服７に取り付けられているボタン８のボタン穴に挿通して、この紐の他端と結びリング状取り付け具１３を形成し、被服７に取り付けられる。なお、２は価格や名称、サイズ、材質、バーコード等、その被服に関する商品情報である。また、９はボタンであり、ボタン９は、被服７の前面に前記ボタン８と縦列して所定の距離を隔てて取り付けられている。
柔軟なプラスチック製のナイロンピンを使用する場合、ナイロンピンは一端に円筒状の嵌合受部を有し、他端に挿入頭部を形成しており（図示せず）、紐を使用する場合と同様にして、図６（ａ）の商品タグ３０の上方に形成する通し穴１２に前記した挿入頭部を挿通し、更に被服７のボタン穴に挿通して他端に形成する嵌合受部に貫通させて、リング状取り付け具１３を形成し、商品タグ３０は被服７に取り付けられる（例えば、公知文献１参照）。
また、タグピンを使用する場合、タグピンは柔軟なプラスチック製であって、その一端はほぼ三角形の止めがあり、他端はＴ字状に形成しており、このＴ字状部を伏せた状態で突き出し、図６（ｂ）に示すように、タグピン１４を商品タグ３０の上方に形成する通し穴１２に挿通し、さらに被服７を貫通させ、再びＴ字状部分を起こすことにより、商品タグ３０は被服７に取り付けられる（例えば、公知文献２参照）。
【０００３】
商品タグ３０が取り付けられた被服７は、図６（ａ）あるいは図６（ｂ）に示すように折り畳まれ、図示しない透明フィルムをもって形成される包装袋に入れられ、その包装袋を封止して、販売店において販売される。
【０００４】
【特許文献１】
特開昭６４−０７０３４６号公報。
【特許文献２】
実開昭５９−００９３７７号公報。
【０００５】
【発明が解決しようとする課題】
しかし、被服への商品タグの取り付けに、紐、ナイロンピンを使用する場合は、取り付けの際販売員が、前記した被服のボタン穴に紐あるいはナイロンピンを挿通した上で、紐あるいはナイロンピンでリング状取り付け具を作成する作業が必要となり、作業効率が著しく低下する問題があった。
また、商品タグの取り付けにタグピンを使用する場合は、紐、ナイロンピンを使用する場合と比較して、取り付けの作業が容易となったが、商品タグの取り付けには専用の器具を使用しなければならず、さらに被服を貫通させる為、被服を傷付けてしまう問題があった。
さらに、これら紐、ナイロンピン、タグピン等の用具を使用して被服に商品タグを取り付けた後、被服は透明フィルムをもって形成される包装袋に入れられ、その包装袋を封止した後に、商品タグが袋の中で裏返ってしまうことがあり、顧客が商品タグからその被服の詳細情報を得ることができず、またその被服商品の清算の際にも、その販売店のＰＯＳレジ端末にて、販売員がスキャナにてシート表面に表示されているバーコードを読み取る為に、包装袋の封止をといて、中の商品タグを表に返す作業が必要となり、作業効率が著しく低減する問題があった。
顧客は商品購入後、この商品タグが不要となる為、被服から商品タグを取り除くが、紐、ナイロンピン、あるいはタグピン等の用具の切断には鋏等を用いる必要があり、誤って鋏等で被服を傷付けてしまう問題があった。
【０００６】
本発明は以上のような従来の問題点に鑑み、紐、ナイロンピン、あるいはタグピン等の用具を必要とせずに、被服に容易に取り付けられ、固定することが可能な商品タグを提供することを目的としている。
【０００７】
【課題を解決するための手段】
上記目的を達成するために、請求項１に記載のボタン付被服用商品タグは、ボタン付被服に取り付ける被服用商品タグであって、表面に前記被服の商品情報を表示するシートを備え、そのシートの対向する端縁に一対の切り欠き部を形成し、前記一対の切り欠き部が前記被服前面に取り付けられ互いに隣り合う２つのボタンに各々掛着されることを特徴としている。
請求項２に記載のボタン付被服用商品タグによれば、前記一対の切り欠き部は、前記被服前面に取り付けられ互いに隣り合う２つのボタンにほぼ適合しうる所定の距離をおいて形成されていることを特徴としている。
請求項３に記載のボタン付被服用商品タグによれば、前記一対の切り欠き部は、シートの端縁に向かって拡幅することを特徴としている。
請求項４に記載のボタン付被服用商品タグによれば、前記一対の切り欠き部は、少なくともいずれか一つの谷部の先端が円弧状を形成することを特徴としている。
【０００８】
【発明の実施の形態】
以下、図面に示す実施の形態により、本発明を詳細に説明する。
【０００９】
図１乃至図３に示す本発明の第１の実施の形態において、図１は商品タグ１０の平面図である。図１において、シート１は、弾力があり折れ曲がりにくい程度の硬度を有し、表面に被服７の商品情報２を表示し、該シート１の上下に、第１の切り欠き部５及び第２の切り欠き部６を形成して構成する。
商品情報２は、例えば商品名、値段、サイズ、材質等の被服情報３と、バーコードあるいは２次元バーコード等のデータコードである。本実施の形態ではデータコードをバーコード４とする。第１の切り欠き部５及び第２の切り欠き部６は、Ｖ字状の形状を有し、第１の切り欠き部５はシート１の上端縁に向かって拡幅して形成しており、第２の切り欠き部６はシート１の下端縁に向かって拡幅して形成する。第１の切り欠き部５及び第２の切り欠き部６は、被服７前面に縦列して取り付けられ互いに隣り合うボタン８及びボタン９に掛着される。さらに、第１の切り欠き部５の谷部の先端と第２の切り欠き部６の谷部の先端との直線距離Ｌは、ボタン８とボタン９との直線距離にほぼ等しい構成とする。
【００１０】
次に、商品タグ１０の取り付け方法について、図２及び図３を参照して説明する。
図２は、被服７への、商品タグ１０の取り付け方法を示す拡大斜視図であり、図３は商品タグ１０を取り付けた状態の被服７を示す全体平面図である。図２（ａ）に示すように、シート１の下端縁に形成する第２の切り欠き部６を被服７前面に取り付けられているボタン９に掛着する。次に、図２（ｂ）に示すように、第２の切り欠き部６を被服７前面に取り付けられているボタン９に掛着した状態で、シート１の上端縁に形成する第１の切り欠き部５を被服７前面に取り付けられているボタン８に掛着する。このとき、シート１の天地の長さはボタン８とボタン９との直線距離よりも長い為、折れ曲がらない程度に、シート１を撓ましながら行う。
【００１１】
そして、図３に示すように、商品タグ１０は、被服７に対して第１の切り欠き部５及び第２の切り欠き部６を各々ボタン８及びボタン９に掛着して固定される。
被服７が、実際に商品として販売されるときには、被服７が汚れない上、表面から商品タグ１０を透視できるように、透明フィルムをもって形成される包装袋に折り畳まれた状態で入れられ、その包装袋を封止し、販売店において販売される。
【００１２】
以上のように、本発明第１の実施の形態によれば、商品タグ１０は、シート１の上下に第１の切り欠き部５及び第２の切り欠き部６を形成し、該第１の切り欠き部５及び第２の切り欠き部６を被服７前面に縦列して取り付けられ互いに隣り合うボタン８及びボタン９に掛着するように構成しているので、紐、ナイロンピン、あるいはタグピン等の用具を用いずとも、被服７に対して商品タグ１０を取り付けることが可能となる。
さらに第１の切り欠き部５の谷部の先端と第２の切り欠き部６の谷部の先端との直線距離Ｌが、ボタン８とボタン９との直線距離にほぼ等しい構成としたので、商品タグ１０を被服７に対し的確に固定することが可能となり、従来の包装時に商品タグが裏返ってしまうといった問題が解決できる。従って、販売員が商品タグ１０を表に返す作業が不要となり、作業効率を著しく改善できる。
また、第１の切り欠き部５の形状がシート１上端縁に向かって拡幅し、第２の切り欠き部６の形状がシート１下端縁に向かって拡幅するよう形成したので、より取り付けが容易となる。
顧客が被服７購入後において、不要となった商品タグ１０を鋏等の器具を用いずとも容易に取り外すことが可能となり、誤って鋏等の器具で被服７を傷付けてしまう問題が解決できる。
【００１３】
次に、図４及び図５に示す本発明第２の実施の形態について説明する。なお、本発明第２の実施の形態の説明に当って、前記本発明第１の実施の形態と同一構成部分には同一符号を付して重複する説明を省略する。
【００１４】
図４に示す本発明第２の実施の形態において、前記第１の実施の形態と主に異なる構成として、第１の切り欠き部１５は、Ｖ字状の谷部の先端が円弧状の保持部１１と連結し、シート１の上端縁に向かって拡幅して形成する。第１の切り欠き部１５の谷部の先端に形成する保持部１１及び第２の切り欠き部６は、被服７前面に縦列して取り付けられ互いに隣り合うボタン８及びボタン９に掛着される。さらに、第１の切り欠き部１５の谷部の先端に形成する円弧状の保持部１１と第２の切り欠き部６の谷部の先端との直線距離Ｌは、ボタン８とボタン９との直線距離にほぼ等しい構成とする。
【００１５】
次に、商品タグ２０の取り付け方法について、図５を参照して説明する。
図５は、被服７への、商品タグ２０の取り付け方法を示す拡大斜視図である。図５（ａ）に示すように、シート１の下端縁に形成する第２の切り欠き部６を被服７前面に取り付けられているボタン９に掛着する。次に、図５（ｂ）に示すように、第２の切り欠き部６を被服７前面に取り付けられているボタン９に掛着した状態で、シート１の上端縁に形成する第１の切り欠き部１５の保持部１１を被服７前面に取り付けられているボタン８に掛着する。このとき、シート１の天地の長さはボタン８とボタン９との直線距離よりも長い為、折れ曲がらない程度に、シート１を撓ましながら行う。
【００１６】
この様に構成した商品タグ２０にしても前記本発明の第１の実施の形態と同様な作用効果が得られる。さらに、第１の切り欠き部１５の谷部の先端に円弧状の保持部１１を形成した為、第１の切り欠き部１５をボタン８に取り付ける際に、Ｖ字状に形成するよりも裂け難くより丈夫な構成となる。
【００１７】
なお、本発明の実施の形態において、被服７は、Ｙシャツやポロシャツ等が採用可能であり、ボタン付被服であれば、特に限定されない。
また、本発明第２の実施の形態において、第１の切り欠き部１５の谷部の先端に保持部１１を形成する構成とし、第２の切り欠き部６をＶ字状とした構成にしたが、第１の切り欠き部と第２の切り欠き部の両方に円弧状の保持部１１を形成する構成としても良く、また第１の切り欠き部１５をＶ字状として、第２の切り欠き部６の谷部の先端に円弧状の保持部１１を形成する構成としても良い。
【００１８】
【発明の効果】
以上の説明から明らかなように、本発明にあっては次に列挙する効果が得られる。
シートの対向する端縁に一対の切り欠き部を形成し、この一対の切り欠き部を被服前面に縦列して取り付けられ互いに隣り合う２つのボタンに、各々掛着するように構成したので、紐、ナイロンピン、あるいはタグピン等の用具を使用せずとも、被服に対して商品タグの取り付けが可能となり、また専用の器具を必要とせずに商品タグの取り付けが可能となる。
シートの対向する端縁に形成する一対の切り欠き部は、被服前面に縦列して取り付けられ互いに隣り合う２つのボタンにほぼ適合しうる所定の距離をおいて形成しているので、商品タグを被服に対し的確に固定することが可能となり、包装時に商品タグが裏返ってしまうことが回避できるという効果がある。
シートの対向する端縁に形成する一対の切り欠き部は、シート端縁に向かって拡幅するよう形成しているので、より商品タグの取り付けが容易となり、商品タグの取り付け作業の効率化が図れるという効果がある。
顧客が被服購入後に、不要となった商品タグを鋏等の器具を使用せずとも容易に取り外すことが可能となり、誤って鋏等の器具で被服を傷付けてしまうことが回避できるという効果がある。
【図面の簡単な説明】
【図１】本発明第１の実施の形態の商品タグの平面図。
【図２】本発明第１の実施の形態の商品タグの取り付け方法を示す斜視図。
【図３】本発明実施の形態の商品タグを取り付けた被服を示す全体平面図。
【図４】本発明第２の実施の形態の商品タグの平面図。
【図５】本発明第２の実施の形態の商品タグの取り付け方法を示す斜視図。
【図６】従来の商品タグを取り付けた被服を示す全体平面図。
【符号の説明】
１  シート
２  商品情報
３  被服情報
４  バーコード
５、１５  第１の切り欠き部
６  第２の切り欠き部
７  被服
８、９  ボタン
１０、２０  商品タグ
１１  保持部
Ｌ  第１の切り欠き部の谷部の先端と第２の切り欠き部の谷部の先端との直線距離
【図１】
2004170735.tif 000003
【図２】
2004170735.tif 000004
【図３】
2004170735.tif 000005
【図４】
2004170735.tif 000006
【図５】
2004170735.tif 000007
【図６】
2004170735.tif 000008